(57)【要約】【課題】無形資産の評価を適切に行うことができ、しかもその無形資産の売買を行うことができるようにする。【解決手段】管理システムに設けられている無形資産売買管理サーバ１１０により、ネットワーク５００上で公開される無形資産の少なくとも売買に関する項目を有する無形資産売買提供サイトが提供され、その無形資産売買提供サイトを介しての無形資産としてのたとえばＷｅｂサイトの査定が要求された場合、無形資産査定部１１９によって情報記憶部１２０に記憶されるＷｅｂサイトの運営実績情報に基づき資産価値が査定されるようにした。【選択図】図４
2007213424.tif 000002
【特許請求の範囲】
【請求項１】
無形資産を売買する無形資産売買管理システムであって、
ネットワーク上で公開される前記無形資産の少なくとも売買に関する項目を有する無形資産売買提供サイトを管理する管理システムと、
ネットワークを介して前記無形資産売買提供サイトにアクセスし前記無形資産の売買を行う端末とを備え、
前記管理システムは、
前記無形資産売買提供サイトを提供する無形資産売買管理サーバと、
少なくとも前記無形資産の運営実績情報を記憶する記憶手段と、
前記端末からの問い合わせに対する応答を返す管理端末とを有し、
前記無形資産売買管理サーバは、前記記憶手段に記憶されている運営実績情報を参照して前記無形資産の資産価値を査定する
ことを特徴とする無形資産売買管理システム。
【請求項２】
前記無形資産売買管理サーバは、
前記ネットワークを介して前記端末との間での情報の送受信を行う送受信手段と、
前記無形資産売買提供サイトを介してのアクセス受け付けるアクセス受付手段と、
前記無形資産売買提供サイトを介して得られる、前記端末からの前記無形資産に関する前記運営実績情報に基づき、前記記憶手段の情報の登録編集を行う情報登録編集手段と、
前記運営実績情報に含まれる少なくとも売り上げ、アクセス数及び会員数に基づき前記無形資産の資産価値を査定する無形資産査定手段とを有する
ことを特徴とする請求項１に記載の無形資産売買管理システム。
【請求項３】
前記アクセス受付手段は、
前記無形資産売買提供サイトからの売りアクセスを受け付け、少なくとも売却サイトに関する情報を提示する売りアクセス受付手段と、
前記無形資産売買提供サイトからの買いアクセスを受け付け、少なくとも買いたいサイトに関する情報を提示する買いアクセス受付手段とを有する
ことを特徴とする請求項２に記載の無形資産売買管理システム。
【請求項４】
前記アクセス受付手段は、前記無形資産売買提供サイトからの提供ネットワークのアクセスを受け付け、少なくとも前記無形資産の売買に関するサポート情報を提示する提供ネットワークアクセス受付手段を有することを特徴とする請求項２又は３に記載の無形資産売買管理システム。
【請求項５】
前記無形資産査定手段は、前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めることを特徴とする請求項１〜４のいずれかに記載の無形資産売買管理システム。
【請求項６】
無形資産の売買を管理する無形資産売買管理サーバであって、
ネットワーク上で公開される前記無形資産の少なくとも売買に関する項目を有する無形資産売買提供サイトにアクセスし前記無形資産の売買を行う端末との間での情報の送受信を行う送受信手段と、
前記無形資産売買提供サイトを介してのアクセス受け付けるアクセス受付手段と、
前記無形資産売買提供サイトを介して得られる、前記端末からの前記無形資産に関する運営実績情報に基づき、前記記憶手段の情報の登録編集を行う情報登録編集手段と、
前記運営実績情報に含まれる少なくとも売り上げ、アクセス数及び会員数に基づき前記無形資産の資産価値を査定する無形資産査定手段とを有する
ことを特徴とする無形資産売買管理サーバ。
【請求項７】
前記アクセス受付手段は、
前記無形資産売買提供サイトからの売りアクセスを受け付け、少なくとも売却サイトに関する情報を提示する売りアクセス受付手段と、
前記無形資産売買提供サイトからの買いアクセスを受け付け、少なくとも買いたいサイトに関する情報を提示する買いアクセス受付手段とを有する
ことを特徴とする請求項６に記載の無形資産売買管理サーバ。
【請求項８】
前記アクセス受付手段は、前記無形資産売買提供サイトからの提供ネットワークのアクセスを受け付け、少なくとも前記無形資産の売買に関するサポート情報を提示する提供ネットワークアクセス受付手段を有することを特徴とする請求項６又は７に記載の無形資産売買管理サーバ。
【請求項９】
前記無形資産査定手段は、前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めることを特徴とする請求項６〜８のいずれかに記載の無形資産売買管理サーバ。
【請求項１０】
無形資産を売買する無形資産売買管理方法であって、
ネットワーク上で公開される前記無形資産の少なくとも売買に関する項目を有する無形資産売買提供サイトを提供するステップと、
少なくとも前記無形資産の運営実績情報を記憶するステップと、
ネットワークを介して前記無形資産売買提供サイトにアクセスし前記無形資産の売買を行う端末からの問い合わせに対する応答を返すステップと、
前記記憶されている運営実績情報を参照して前記無形資産の資産価値を査定するステップとを有する
ことを特徴とする無形資産売買管理方法。
【請求項１１】
前記ネットワークを介して前記端末との間での情報の送受信を行うステップと、
前記無形資産売買提供サイトを介してのアクセス受け付けるステップと、
前記無形資産売買提供サイトを介して得られる、前記端末からの前記無形資産に関する運営実績情報に基づき、前記記憶されている情報の登録編集を行うステップと、
前記運営実績情報に含まれる少なくとも売り上げ、アクセス数及び会員数に基づき前記無形資産の資産価値を査定するステップとを有する
ことを特徴とする請求項１０に記載の無形資産売買管理方法。
【請求項１２】
前記無形資産売買提供サイトからの売りアクセスを受け付け、少なくとも売却サイトに関する情報を提示するステップと、
前記無形資産売買提供サイトからの買いアクセスを受け付け、少なくとも買いたいサイトに関する情報を提示するステップとを有する
ことを特徴とする請求項１１に記載の無形資産売買管理方法。
【請求項１３】
前記無形資産売買提供サイトからの提供ネットワークのアクセスを受け付け、少なくとも前記無形資産の売買に関するサポート情報を提示するステップを有することを特徴とする請求項１１又は１２に記載の無形資産売買管理方法。
【請求項１４】
前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めるステップを有することを特徴とする請求項１０〜１３のいずれかに記載の無形資産売買管理方法。
【請求項１５】
無形資産を売買する無形資産売買管理方法を実行するための無形資産売買管理プログラムであって、
ネットワーク上で公開される前記無形資産の少なくとも売買に関する項目を有する無形資産売買提供サイトを提供するステップと、
少なくとも前記無形資産の運営実績情報を記憶するステップと、
ネットワークを介して前記無形資産売買提供サイトにアクセスし前記無形資産の売買を行う端末からの問い合わせに対する応答を返すステップと、
前記記憶されている運営実績情報を参照して前記無形資産の資産価値を査定するステップとを有する
ことを特徴とする無形資産売買管理プログラム。
【請求項１６】
前記ネットワークを介して前記端末との間での情報の送受信を行うステップと、
前記無形資産売買提供サイトを介してのアクセス受け付けるステップと、
前記無形資産売買提供サイトを介して得られる、前記端末からの前記無形資産に関する運営実績情報に基づき、前記記憶されている情報の登録編集を行うステップと、
前記運営実績情報に含まれる少なくとも売り上げ、アクセス数及び会員数に基づき前記無形資産の資産価値を査定するステップとを有する
ことを特徴とする請求項１５に記載の無形資産売買管理プログラム。
【請求項１７】
前記無形資産売買提供サイトからの売りアクセスを受け付け、少なくとも売却サイトに関する情報を提示するステップと、
前記無形資産売買提供サイトからの買いアクセスを受け付け、少なくとも買いたいサイトに関する情報を提示するステップとを有する
ことを特徴とする請求項１６に記載の無形資産売買管理プログラム。
【請求項１８】
前記無形資産売買提供サイトからの提供ネットワークのアクセスを受け付け、少なくとも前記無形資産の売買に関するサポート情報を提示するステップを有することを特徴とする請求項１６又は１７に記載の無形資産売買管理プログラム。
【請求項１９】
前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めるステップを有することを特徴とする請求項１５〜１８のいずれかに記載の無形資産売買管理プログラム。
【発明の詳細な説明】
【技術分野】
【０００１】
本発明は、Ｗｅｂサイトやドメイン等の無形資産の売買に適した無形資産売買管理システム、無形資産売買管理サーバ、無形資産売買管理方法及び無形資産売買管理プログラムに関する。
【背景技術】
【０００２】
近年、インターネットの普及に伴い、Ｗｅｂサイトやドメイン等を用いてのビジネスが活発化している。
【０００３】
ここで、Ｗｅｂサイトの代表的なものとして、たとえばショッピングモールがある。このショッピングモールは、出店者や運営者のコストを最小限に抑え、より高い集客効果を上げるようにしたものである。また、一般ユーザにとっては、ウインドショッピングを疑似体験できる他、ポイントやカスタマイズ可能なＭＹページ機能などのメリットを受けることができるようにしたものである。
【０００４】
また、ドメインは、ネットワークに接続しているコンピュータが、どこに存在しているかを示すインターネット上の住所であり、全世界で一つとなっている。このようなドメインは、オークションのサイトで、有名人や有名企業のものが高値で売りに出されたりする一方で、すでに自分の名前をホームページアドレスにして、うまく活用しているスポーツ選手やアーティスト、政治家もいたりし、大ブームになっている。
【０００５】
ところで、このようなＷｅｂサイトやドメイン等の無形資産を売買しようとした場合、その資産価値を算定する基準が統一されていないため、その無形資産の適正な評価が必要となってくる。
【０００６】
このような無形資産の評価を行うものとして、特許文献１では、たとえば評価対象となる商品の機能や性能に基づいて競合商品と比較して算出するか、あるいは競合商品に対する価格優位性により算出する経済効果を基に、その商品の経済価値を寄与度に応じて算出するようにした算出方法を提案している。
【特許文献１】特開２００２−１９７２６５号公報
【発明の開示】
【発明が解決しようとする課題】
【０００７】
上述した特許文献１での算出方法によれば、評価対象となる商品の機能や性能に基づく経済効果を基に、商品の経済価値を寄与度に応じて算出することができ、その商品の経済価値をある程度正確に評価することができるものと考えられる。
【０００８】
ところが、このような算出方法では、評価対象となる商品の機能や性能に基づく経済効果を基に、商品の経済価値を寄与度に応じて算出するようにしているため、上述したＷｅｂサイトやドメイン等の無形資産のように、機能や性能とは異なる基準で判定するもには適さないという問題があった。
【０００９】
そこで、Ｗｅｂサイトやドメイン等のような無形資産の評価を適切に行い、しかもその無形資産の売買が行えるようなシステムの構築が望まれていた。
【００１０】
本発明は、このような状況に鑑みてなされたものであり、上記問題点を解決することができる無形資産売買管理システム、無形資産売買管理サーバ、無形資産売買管理方法及び無形資産売買管理プログラムを提供することを目的とする。
【課題を解決するための手段】
【００１１】
本発明の無形資産売買管理システムは、無形資産を売買する無形資産売買管理システムであって、ネットワーク上で公開される前記無形資産の少なくとも売買に関する項目を有する無形資産売買提供サイトを管理する管理システムと、ネットワークを介して前記無形資産売買提供サイトにアクセスし前記無形資産の売買を行う端末とを備え、前記管理システムは、前記無形資産売買提供サイトを提供する無形資産売買管理サーバと、少なくとも前記無形資産の運営実績情報を記憶する記憶手段と、前記端末からの問い合わせに対する応答を返す管理端末とを有し、前記無形資産売買管理サーバは、前記記憶手段に記憶されている運営実績情報を参照して前記無形資産の資産価値を査定することを特徴とする。
また、前記無形資産売買管理サーバは、前記ネットワークを介して前記端末との間での情報の送受信を行う送受信手段と、前記無形資産売買提供サイトを介してのアクセス受け付けるアクセス受付手段と、前記無形資産売買提供サイトを介して得られる、前記端末からの前記無形資産に関する前記運営実績情報に基づき、前記記憶手段の情報の登録編集を行う情報登録編集手段と、前記運営実績情報に含まれる少なくとも売り上げ、アクセス数及び会員数に基づき前記無形資産の資産価値を査定する無形資産査定手段とを有するようにすることができる。
また、前記アクセス受付手段は、前記無形資産売買提供サイトからの売りアクセスを受け付け、少なくとも売却サイトに関する情報を提示する売りアクセス受付手段と、前記無形資産売買提供サイトからの買いアクセスを受け付け、少なくとも買いたいサイトに関する情報を提示する買いアクセス受付手段とを有するようにすることができる。
また、前記アクセス受付手段は、前記無形資産売買提供サイトからの提供ネットワークのアクセスを受け付け、少なくとも前記無形資産の売買に関するサポート情報を提示する提供ネットワークアクセス受付手段を有するようにすることができる。
また、前記無形資産査定手段は、前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めるようにすることができる。
本発明の無形資産売買管理サーバは、無形資産の売買を管理する無形資産売買管理サーバであって、ネットワーク上で公開される前記無形資産の少なくとも売買に関する項目を有する無形資産売買提供サイトにアクセスし前記無形資産の売買を行う端末との間での情報の送受信を行う送受信手段と、前記無形資産売買提供サイトを介してのアクセス受け付けるアクセス受付手段と、前記無形資産売買提供サイトを介して得られる、前記端末からの前記無形資産に関する運営実績情報に基づき、前記記憶手段の情報の登録編集を行う情報登録編集手段と、前記運営実績情報に含まれる少なくとも売り上げ、アクセス数及び会員数に基づき前記無形資産の資産価値を査定する無形資産査定手段とを有することを特徴とする。
また、前記アクセス受付手段は、前記無形資産売買提供サイトからの売りアクセスを受け付け、少なくとも売却サイトに関する情報を提示する売りアクセス受付手段と、前記無形資産売買提供サイトからの買いアクセスを受け付け、少なくとも買いたいサイトに関する情報を提示する買いアクセス受付手段とを有するようにすることができる。
また、前記アクセス受付手段は、前記無形資産売買提供サイトからの提供ネットワークのアクセスを受け付け、少なくとも前記無形資産の売買に関するサポート情報を提示する提供ネットワークアクセス受付手段を有するようにすることができる。
また、前記無形資産査定手段は、前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めるようにすることができる。
本発明の無形資産売買管理方法は、無形資産を売買する無形資産売買管理方法であって、ネットワーク上で公開される前記無形資産の少なくとも売買に関する項目を有する無形資産売買提供サイトを提供するステップと、少なくとも前記無形資産の運営実績情報を記憶するステップと、ネットワークを介して前記無形資産売買提供サイトにアクセスし前記無形資産の売買を行う端末からの問い合わせに対する応答を返すステップと、前記記憶されている運営実績情報を参照して前記無形資産の資産価値を査定するステップとを有することを特徴とする。
また、前記ネットワークを介して前記端末との間での情報の送受信を行うステップと、前記無形資産売買提供サイトを介してのアクセス受け付けるステップと、前記無形資産売買提供サイトを介して得られる、前記端末からの前記無形資産に関する運営実績情報に基づき、前記記憶されている情報の登録編集を行うステップと、前記運営実績情報に含まれる少なくとも売り上げ、アクセス数及び会員数に基づき前記無形資産の資産価値を査定するステップとを有するようにすることができる。
また、前記無形資産売買提供サイトからの売りアクセスを受け付け、少なくとも売却サイトに関する情報を提示するステップと、前記無形資産売買提供サイトからの買いアクセスを受け付け、少なくとも買いたいサイトに関する情報を提示するステップとを有するようにすることができる。
また、前記無形資産売買提供サイトからの提供ネットワークのアクセスを受け付け、少なくとも前記無形資産の売買に関するサポート情報を提示するステップを有するようにすることができる。
また、前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めるステップを有するようにすることができる。
本発明の無形資産売買管理プログラムは、無形資産を売買する無形資産売買管理方法を実行するための無形資産売買管理プログラムであって、ネットワーク上で公開される前記無形資産の少なくとも売買に関する項目を有する無形資産売買提供サイトを提供するステップと、少なくとも前記無形資産の運営実績情報を記憶するステップと、ネットワークを介して前記無形資産売買提供サイトにアクセスし前記無形資産の売買を行う端末からの問い合わせに対する応答を返すステップと、前記記憶されている運営実績情報を参照して前記無形資産の資産価値を査定するステップとを有することを特徴とする。
また、前記ネットワークを介して前記端末との間での情報の送受信を行うステップと、前記無形資産売買提供サイトを介してのアクセス受け付けるステップと、前記無形資産売買提供サイトを介して得られる、前記端末からの前記無形資産に関する運営実績情報に基づき、前記記憶されている情報の登録編集を行うステップと、前記運営実績情報に含まれる少なくとも売り上げ、アクセス数及び会員数に基づき前記無形資産の資産価値を査定するステップとを有するようにすることができる。
また、前記無形資産売買提供サイトからの売りアクセスを受け付け、少なくとも売却サイトに関する情報を提示するステップと、前記無形資産売買提供サイトからの買いアクセスを受け付け、少なくとも買いたいサイトに関する情報を提示するステップとを有するようにすることができる。
また、前記無形資産売買提供サイトからの提供ネットワークのアクセスを受け付け、少なくとも前記無形資産の売買に関するサポート情報を提示するステップを有するようにすることができる。
また、前記無形資産の売り上げに基づいて資産価値を求める査定と、前記無形資産のアクセス数に基づいて資産価値を求める査定と、前記無形資産の会員数を含む潜在価値に基づいて資産価値を求める査定とを行い、これらの資産価値から総合資産価値を求めるステップを有するようにすることができる。
本発明の無形資産売買管理システム、無形資産売買管理サーバ、無形資産売買管理方法及び無形資産売買管理プログラムでは、ネットワーク上で公開される無形資産の少なくとも売買に関する項目を有する無形資産売買提供サイトが提供され、その無形資産売買提供サイトを介しての無形資産の査定が要求された場合、その無形資産の運営実績情報に基づき資産価値が査定される。
【発明の効果】
【００１２】
本発明の無形資産売買管理システム、無形資産売買管理サーバ、無形資産売買管理方法及び無形資産売買管理プログラムによれば、ネットワーク上で公開される無形資産の少なくとも売買に関する項目を有する無形資産売買提供サイトが提供され、その無形資産売買提供サイトを介しての無形資産の査定が要求された場合、その無形資産の運営実績情報に基づき資産価値が査定されるようにしたので、無形資産の評価を適切に行うことができ、しかもその無形資産の売買を行うことができる。
【発明を実施するための最良の形態】
【００１３】
本実施形態では、無形資産売買管理サーバにより、ネットワーク上で公開される無形資産の少なくとも売買に関する項目を有する無形資産売買提供サイトが提供され、その無形資産売買提供サイトを介しての無形資産の査定が要求された場合、無形資産査定手段によってその無形資産の運営実績情報に基づき資産価値が査定されるようにし、無形資産の評価を適切に行い、しかもその無形資産の売買が行われるようにした。
【実施例】
【００１４】
以下、本発明の実施の形態について説明する。図１は、本発明の無形資産売買管理システムの一実施形態を示す図である。
【００１５】
図１に示すように、無形資産売買管理システムは、管理システム１００、端末２００、端末３００、サポート端末４００を備えている。また、これら管理システム１００、端末２００、端末３００、サポート端末４００は、ネットワーク５００を介して相互に通信できるようになっている。
【００１６】
管理システム１００は、無形資産売買管理サーバ１１０、情報記憶部１２０、管理端末１３０を有している。
【００１７】
無形資産売買管理サーバ１１０は、Ｗｅｂサイトやドメイン等の無形資産の売買を管理するものであるが、その詳細については後述する。
【００１８】
情報記憶部１２０には、Ｗｅｂサイトやドメイン等の無形資産のそれぞれについての運営実績情報が記憶されている。ここで、運営実績情報としては、少なくとも、たとえば月間の売り上げ、たとえば一日あたりのアクセス数、会員数である。
【００１９】
少なくとも、これらの売り上げ、アクセス数、会員数の運営実績情報を用いることで、それぞれの無形資産の資産価値の査定を行うことが可能となる。なお、それぞれの無形資産の資産価値の査定については、後述する。
【００２０】
管理端末１３０は、後述の無形資産売買提供サイトを管理する管理スタッフが使用するものであり、ユーザからの問い合わせや交渉を受け付けるとともに、各種情報を収集して、無形資産売買提供サイトを更新したり、情報記憶部１２０に記憶される情報を更新したりする。
【００２１】
また、管理端末１３０は、後述の銀行、証券会社、ＶＣ（ｖｅｎｔｕｒｅｒ  ｃａｐｉｔａｌｉｓｔ）、会計士、税理士、弁護士、ＭＡ（Ｍｅｒｇｅｒｓ＆Ａｃｑｕｉｓｉｔｉｏｎｓ）会社等との間での情報交換、企業紹介、業務相談等を受け付けて、無形資産売買提供サイトを更新したり、情報記憶部１２０に記憶される情報を更新したりする。
【００２２】
端末２００は、Ｗｅｂサイトやドメイン等の無形資産を売りたいユーザが使用する場合を想定したものである。端末２００は、少なくともネットワーク５００を介して通信できる機能があればよく、ディスクトップパソコン、ノートパソコン、ＰＤＡ、携帯電話等を用いることができる。
【００２３】
端末３００は、Ｗｅｂサイトやドメイン等の無形資産を買いたいユーザが使用する場合を想定したものである。端末３００は、端末２００と同様に、少なくともネットワーク５００を介して通信できる機能があればよく、ディスクトップパソコン、ノートパソコン、ＰＤＡ、携帯電話等を用いることができる。
【００２４】
サポート端末４００は、ユーザからの相談やサポートを行う側のオペレーターが使用する場合を想定したものである。サポート端末４００は、上記同様に、少なくともネットワーク５００を介して通信できる機能があればよく、ディスクトップパソコン、ノートパソコン、ＰＤＡ、携帯電話等を用いることができる。
【００２５】
また、ユーザからの相談やサポートを行う側としては、後述のように、少なくとも銀行、証券会社、ＶＣ（ｖｅｎｔｕｒｅｒ  ｃａｐｉｔａｌｉｓｔ）、会計士、税理士、弁護士、ＭＡ（Ｍｅｒｇｅｒｓ＆Ａｃｑｕｉｓｉｔｉｏｎｓ）会社等である。
【００２６】
図２は、図１の無形資産売買管理システムの概要を説明するための図である。同図に示すように、管理スタッフと売る側との間では、（ａ）に示すように、問い合わせ、交渉、情報収集等が行われる。
【００２７】
また、管理スタッフと買う側との間では、（ｂ）に示すように、問い合わせ、交渉、情報収集等が行われる。管理スタッフとサポート側との間では、（ｃ）に示すように、情報交換、企業紹介、業務相談等が行われる。
【００２８】
また、管理スタッフ側では、（ａ）〜（ｃ）のいずれかを行うことで、（ｄ）に示すように、無形資産売買提供サイト１４０に売買情報を掲載するようになっている。また、売る側とサポート側では、（ｅ）に示すように、相談、サポート等が行われる。
【００２９】
また、買う側とサポート側では、（ｆ）に示すように、相談、サポート等が行われる。また、売る側と買う側とは、（ａ）、（ｂ）、（ｅ）、（ｆ）でのやり取りや、無形資産売買提供サイト１４０での情報閲覧を行うことで、（ｇ）に示すように、売買契約を行う。
【００３０】
図３は、上述した無形資産売買提供サイト１４０の概要を説明するための図である。同図に示すように、無形資産売買提供サイト１４０には、サイト概要説明項目１４１、売買関連アクセス項目１４２、メールマガジン購読項目１４３、ＰＲ項目１４４、新着情報項目１４５、新着売却案件リスト項目１４６、査定入力項目１４７、サイト売買情報項目１４８等が設けられている。
【００３１】
ここで、特に、査定入力項目１４７には、月間の売り上げを入力する入力欄１４７ａ、一日あたりのアクセス数を入力する入力欄１４７ｂ、会員数を入力する入力欄１４７ｃ、ホームページのＵＲＬを入力する入力欄１４７ｄ、クイック査定ボタン１４７ｅが設けられている
【００３２】
少なくとも、これらの月間の売り上げ、一日あたりのアクセス数、会員数は、上述したように、Ｗｅｂサイトの運営実績情報となり、この運営実績情報にＷｅｂソイトの資産価値の査定が行われるようになっている。
【００３３】
図４は、図１の無形資産売買管理サーバ１１０の概要について説明するための機能ブロック図である。
【００３４】
同図に示すように、無形資産売買管理サーバ１１０は、少なくとも送受信部１１１、アクセス受付部１１２、制御部１１７、受付情報登録編集部１１８、無形資産査定部１１９を備えている。
【００３５】
送受信部１１１は、ネットワーク５００を介して端末２００、端末３００、サポート端末４００との間での情報の送受信を行う。
【００３６】
アクセス受付部１１２は、少なくとも無形資産売買提供サイト１４０を介してのアクセス受け付けるものであり、売りアクセス受付部１１３、買いアクセス受付部１１４、提供ネットワークアクセス受付部１１５、査定アクセス受付部１１６を備えている。
【００３７】
売りアクセス受付部１１３は、無形資産売買提供サイト１４０の売買関連アクセス項目１４２の「売りたい」が選択されると、少なくとも売却サイトに関する情報を無形資産売買提供サイト１４０上に提示する。
【００３８】
買いアクセス受付部１１４は、無形資産売買提供サイト１４０の売買関連アクセス項目１４２の「買いたい」が選択されると、少なくとも買いたいサイトに関する情報を無形資産売買提供サイト１４０上に提示する。
【００３９】
提供ネットワークアクセス受付部１１５は、無形資産売買提供サイト１４０の売買関連アクセス項目１４２の「提供ネットワーク」が選択されると、少なくとも銀行、証券会社、ＶＣ（ｖｅｎｔｕｒｅｒ  ｃａｐｉｔａｌｉｓｔ）、会計士、税理士、弁護士、ＭＡ（Ｍｅｒｇｅｒｓ＆Ａｃｑｕｉｓｉｔｉｏｎｓ）会社等からの情報を無形資産売買提供サイト１４０上に提示する。
【００４０】
査定アクセス受付部１１６は、無形資産売買提供サイト１４０の売買関連アクセス項目１４２の「かんたん査定」が選択されると、少なくともＷｅｂサイトの査定に関する情報を無形資産売買提供サイト１４０上に提示する。
【００４１】
また、査定アクセス受付部１１６は、無形資産売買提供サイト１４０の上述した査定入力項目１４７に設けられている、月間の売り上げを入力する入力欄１４７ａ、一日あたりのアクセス数を入力する入力欄１４７ｂ、会員数を入力する入力欄１４７ｃ、ホームページのＵＲＬを入力する入力欄１４７ｄのそれぞれに所定の値が入力されてクイック査定ボタン１４７ｅが選択されると、無形資産売買提供サイト１４０上に無形資産査定部１１９によって査定された査定結果を提示する。
【００４２】
制御部１１７は、所定の制御プログラムに基づいて各部の動作を制御する。受付情報登録編集部１１８は、少なくとも端末２００、端末３００、サポート端末４００からの情報に基づき、情報記憶部１２０の情報の登録編集を行う。
【００４３】
無形資産査定部１１９は、上述した月間の売り上げを入力する入力欄１４７ａ、一日あたりのアクセス数を入力する入力欄１４７ｂ、会員数を入力する入力欄１４７ｃ、ホームページのＵＲＬを入力する入力欄１４７ｄのそれぞれに入力された値に基づき、Ｗｅｂサイトの査定を行う。
【００４４】
無形資産査定部１１９による具体的な査定方法としては、たとえば次のような算定方法が用いられる。
１．売り上げによる算定方法（８割）
利益／月×６０ヶ月×０．８＝サイト価値＝Ａ
ただし、利益（資産価値）＝売上高−経費（人件費、サイト制作費）である。ここでの６０ヶ月はあくまでも一例であり、Ｗｅｂサイトの耐用年数をたとえば５年と考えた場合、譲渡後に得られる利益をそのまま資産価値としたものである。また、  ０．８としている理由は、買収、売却対象となるＷｅｂサイトの価値は、キャッシュフローのあるサイトでなければならないという前提条件を考慮し、２割は顧客価値やブランド価値、８割はキャッシュフロー価値ということで設定したものである。
【００４５】
２．ＰＶ（ｐａｇｅ  ｖｉｅｗ）による査定方法
ＰＶ×（ＰＶ単価）＝サイト価値＝Ｂ
ここで、ＰＶとは、月間総アクセス数である。また、ＰＶ単価とは、無形資産売買提供サイト１４０を運営している企業の時価総額を月間総ＰＶで割った値である。よって、ＰＶ×（ＰＶ単価）により、顧客価値やブランド価値に相当するサイト価値が得られる。
【００４６】
３．サイトの潜在価値による算定方法（＋α部分）
サイトの潜在価値として、たとえば広告価値（広告費）、マーケティング価値（顧客数、会員数）、サイト価値（ＳＥＯ対策、アクセス数、購入貢献度、メンテナンス性、将来性）がある。ここで、広告価値、マーケティング価値、サイト価値を指数化して＋αとして算定し、たとえば０．８〜１．２の値のＣを得る。
【００４７】
なお、ここでのＣは、たとえば１．０を標準とすると、その値が１．０を下回っている場合は潜在価値が小さく、その値が１．０を上回っている場合は潜在価値が大きいことを意味する。また、広告価値、マーケティング価値、サイト価値を指数化する場合、その指数化に必要な対応表等を予め用意しておけばよい。
【００４８】
具体的には、広告価値、マーケティング価値、サイト価値を指数化する場合、インターネットで公開されている情報をキーワード等を使って検索できるＷｅｂサイトである検索エンジン上で、被リンク数を調べ、その数値をＷｅｂサイトの潜在価値とすることができる。
【００４９】
４．総合評価式
以上のＡ〜Ｃを考慮し、次のようにして総合サイト価値を得る。
Ａ＋（Ｂ×０．２）＋Ｃ＝総合サイト価値
【００５０】
次に、無形資産売買管理システムによる無形資産売買管理方法について説明する。まず、図５に示すように、たとえば図３で説明した無形資産売買提供サイト１４０をインターネット上に公開する（ステップＳ１）。この場合、図２（ａ）に示したように、管理スタッフと売る側との間で、問い合わせ、交渉、情報収集等が行われた際に、それらの情報を情報記憶部１２０に記憶させるとともに、無形資産売買提供サイト１４０に反映させておく。
【００５１】
また、図２（ｃ）に示したように、管理スタッフとサポート側との間で、情報交換、企業紹介、業務相談等が行われた際に、それらの情報を情報記憶部１２０に記憶させるとともに、無形資産売買提供サイト１４０に反映させておく。
【００５２】
ここで、たとえば端末２００により、無形資産売買提供サイト１４０の売買関連アクセス項目１４２の「売りたい」が選択されると（ステップＳ２）、売りアクセス受付部１１３により、そのアクセスが受け付けられ、少なくとも売却サイトに関する情報が端末２００の画面上に提示される（ステップＳ３）。
【００５３】
また、たとえば端末３００により、無形資産売買提供サイト１４０の売買関連アクセス項目１４２の「買いたい」が選択されると（ステップＳ４）、買いアクセス受付部１１４により、そのアクセスが受け付けられ、少なくとも買いたいサイトに関する情報が端末３００の画面上に提示される（ステップＳ５）。
【００５４】
また、端末２００又は端末３００により、無形資産売買提供サイト１４０の売買関連アクセス項目１４２の「提供ネットワーク」が選択されると、提供ネットワークアクセス受付部１１５により、そのアクセスが受け付けられ、少なくとも銀行、証券会社、ＶＣ（ｖｅｎｔｕｒｅｒ  ｃａｐｉｔａｌｉｓｔ）、会計士、税理士、弁護士、ＭＡ（Ｍｅｒｇｅｒｓ＆Ａｃｑｕｉｓｉｔｉｏｎｓ）会社等からの情報が端末２００又は端末３００の画面上に提示される。
【００５５】
ここで、たとえば端末２００により、無形資産売買提供サイト１４０の売買関連アクセス項目１４２の「かんたん査定」が選択されると（ステップＳ６）、査定アクセス受付部１１６により、そのアクセスが受け付けられ、少なくともＷｅｂサイトの査定に関する情報が端末２００の画面上に提示される（ステップＳ７）。
【００５６】
またここで、たとえば端末２００により、無形資産売買提供サイト１４０の上述した査定入力項目１４７に設けられている、月間の売り上げを入力する入力欄１４７ａ、一日あたりのアクセス数を入力する入力欄１４７ｂ、会員数を入力する入力欄１４７ｃ、ホームページのＵＲＬを入力する入力欄１４７ｄのそれぞれに所定の値が入力されてクイック査定ボタン１４７ｅが選択されると（ステップＳ８）、査定アクセス受付部１１６によるクイック査定が実行される。
【００５７】
この場合、上述したように、まず、Ｗｅｂサイトの売り上げによる算定が実行される（ステップＳ９）。売り上げによる算定に際しては、上述したように、利益／月×６０ヶ月×０．８＝サイト価値＝Ａとした結果が得られる。なお、売りに出したいＷｅｂサイトの実績がたとえば１２ヶ月である場合は、利益／月×１２ヶ月×０．８＝サイト価値＝Ａとした結果が得られる。
【００５８】
次いで、ＰＶ（ｐａｇｅ  ｖｉｅｗ）による査定が実行される（ステップＳ１０）。ここでは、上述したように、ＰＶ×（ＰＶ単価）＝サイト価値＝Ｂとした結果が得られる。このような結果により、上述したように、顧客価値やブランド価値に相当するサイト価値が得られる。
【００５９】
次いで、サイトの潜在価値（＋α部分）による算定が実行される（ステップＳ１１）。ここでは、上述したように、サイトの潜在価値として、たとえば広告価値（広告費）、マーケティング価値（顧客数、会員数）、サイト価値（ＳＥＯ対策、アクセス数、購入貢献度、メンテナンス性、将来性）のそれぞれを指数化してたとえば０．８〜１．２の値のＣを得る。
【００６０】
そして、Ｗｅｂサイトの売り上げによる算定Ａと、ＰＶ（ｐａｇｅ  ｖｉｅｗ）による査定Ｂと、広告価値、マーケティング価値、サイト価値を指数化し＋αとして算定した査定Ｃとから、Ａ＋（Ｂ×０．２）＋Ｃを算定して総合サイト価値を査定する（ステップＳ１２）。
【００６１】
以上のようにして得られたＷｅｂサイトの総合サイト価値は、図６に示すように、たとえば端末２００の画面上に提示される（ステップＳ１３）。また、売却希望がある場合は（ステップＳ１４）、図２（ａ）に示したように、問い合わせ、交渉、情報収集等を行い、売却希望を通知する。
【００６２】
これにより、受付情報登録編集部１１８により、少なくともそのＷｅｂサイトのたとえば月間の売り上げ、たとえば一日あたりのアクセス数、会員数を示す運営実績情報と、上述した総合サイト価値とが情報記憶部１２０に記憶される（ステップＳ１５）。
【００６３】
なお、売却の際には、無形資産売買提供サイト１４０の上述した売買関連アクセス項目１４２の提携ネットワークから銀行、証券会社、ＶＣ（ｖｅｎｔｕｒｅｒ  ｃａｐｉｔａｌｉｓｔ）、会計士、税理士、弁護士、ＭＡ（Ｍｅｒｇｅｒｓ＆Ａｃｑｕｉｓｉｔｉｏｎｓ）会社等のサポート端末４００にアクセスし、図２（ｅ）に示したように、相談、サポート等を受けることができる。
【００６４】
また、情報記憶部１２０に記憶された売却希望のＷｅｂサイトの情報は、図２（ｄ）に示したように、無形資産売買提供サイト１４０に掲載される（ステップＳ１６）。これにより、無形資産売買提供サイト１４０の上述した売買関連アクセス項目１４２の購入希望サイト一覧から閲覧できるとともに、無形資産売買提供サイト１４０の上述した新着売却案件リスト項目１４６に提示される。
【００６５】
ここで、購入希望サイト一覧や新着売却案件リスト項目１４６は、化粧品販売サイト、不動産系ポータル、飲食店検索サイト、金融系ポータル、美容系ポータル、ＳＮＳ、地域情報サイト、金融情報サイト等のようにジャンル毎に分けられているため、Ｗｅｂサイトの購入希望者はジャンル毎に希望するＷｅｂサイトを検索することができる。
【００６６】
そして、Ｗｅｂサイトの購入を希望する場合は、端末３００により、無形資産売買提供サイト１４０の上述した売買関連アクセス項目１４２の購入希望サイト一覧又は新着売却案件リスト項目１４６から希望するＷｅｂサイトを検索し、図２（ｂ）に示したように、
問い合わせ、交渉、情報収集等を行い、購入希望を通知する。
【００６７】
なお、購入の際には、図２（ｆ）に示したように、無形資産売買提供サイト１４０の上述した売買関連アクセス項目１４２の提携ネットワークから銀行、証券会社、ＶＣ（ｖｅｎｔｕｒｅｒ  ｃａｐｉｔａｌｉｓｔ）、会計士、税理士、弁護士、ＭＡ（Ｍｅｒｇｅｒｓ＆Ａｃｑｕｉｓｉｔｉｏｎｓ）会社等のサポート端末４００にアクセスし、図２（ｆ）に示したように、相談、サポート等を受けることができる。
【００６８】
そして、最終的に、図２（ｇ）に示したように、売る側と買う側との間で売買契約が行われる。
【００６９】
このように、本実施例では、管理システム１００に設けられている無形資産売買管理サーバ１１０により、ネットワーク５００上で公開される無形資産の少なくとも売買に関する項目を有する無形資産売買提供サイト１４０が提供され、その無形資産売買提供サイト１４０を介しての無形資産としてのたとえばＷｅｂサイトの査定が要求された場合、無形資産査定手段としての無形資産査定部１１９によって記憶手段としての情報記憶部１２０に記憶されるたとえばＷｅｂサイトの運営実績情報に基づき資産価値が査定されるようにしたので、たとえばＷｅｂサイトの評価を適切に行うことができ、しかもその無形資産の売買を行うことができる。
【００７０】
また、本実施例では、たとえばＷｅｂサイトの運営実績情報に含まれる少なくとも売り上げ、アクセス数及び会員数に基づきそのＷｅｂサイトの資産価値が査定されるようにしたので、Ｗｅｂサイトのような無形資産の評価を適切に行うことができる。
【００７１】
また、本実施例では、無形資産売買提供サイト１４０からの提供ネットワークのアクセスを受け付け、少なくともたとえばＷｅｂサイトの売買に関するサポート情報を提示するようにしたので、少なくとも銀行、証券会社、ＶＣ（ｖｅｎｔｕｒｅｒ  ｃａｐｉｔａｌｉｓｔ）、会計士、税理士、弁護士、ＭＡ（Ｍｅｒｇｅｒｓ＆Ａｃｑｕｉｓｉｔｉｏｎｓ）会社等からの情報を提供することができる。
【００７２】
また、本実施例では、無形資産査定部１１９により、たとえばＷｅｂサイトの売り上げに基づいて資産価値を求める査定と、Ｗｅｂサイトのアクセス数に基づいて資産価値を求める査定と、Ｗｅｂサイトの会員数を含む潜在価値に基づいて資産価値を求める査定とを行い、これらの資産価値から総合資産価値を求めるようにしたので、Ｗｅｂサイトのような無形資産の評価を適切な基準で行うことができる。
【００７３】
なお、本実施例では、無形資産としてＷｅｂサイトを例示したが、これに限らず、インターネット上の住所であり、全世界で唯一となるドメインの売買を行うことも可能である。
【産業上の利用可能性】
【００７４】
Ｗｅｂサイトに限らず、知的財産や著作物等の売買にも適用可能である。
【図面の簡単な説明】
【００７５】
【図１】本発明の無形資産売買管理システムの一実施形態を示す図である。
【図２】図１の無形資産売買管理システムの概要を説明するための図である。
【図３】図１の無形資産売買管理システムで用いられる無形資産売買提供サイトの一例を示す図である。
【図４】図１の無形資産売買管理サーバの概要について説明するための機能ブロック図である。
【図５】図１の無形資産売買管理システムによる無形資産売買管理方法について説明するためのフローチャートである。
【図６】図１の無形資産売買管理システムによる無形資産売買管理方法について説明するためのフローチャートである。
【符号の説明】
【００７６】
１００  管理システム
１１０  無形資産売買管理サーバ
１１１  送受信部（送受信手段）
１１２  アクセス受付部（アクセス受付手段）
１１３  売りアクセス受付部（売りアクセス受付手段）
１１４  買いアクセス受付部（買いアクセス受付手段）
１１５  提供ネットワークアクセス受付部（提供ネットワークアクセス受付手段）
１１６  査定アクセス受付部
１１７  制御部
１１８  受付情報登録編集部（情報登録編集手段）
１１９  無形資産査定部（無形資産査定手段）
１２０  情報記憶部（記憶手段）
１３０  管理端末
１４０  無形資産売買提供サイト
２００，３００  端末
４００  サポート端末
５００  ネットワーク
【図１】
2007213424.tif 000003
【図２】
2007213424.tif 000004
【図３】
2007213424.tif 000005
【図４】
2007213424.tif 000006
【図５】
2007213424.tif 000007
【図６】
2007213424.tif 000008